(57)【特許請求の範囲】
【請求項１】
無線通信システムで動作可能なモバイル・デバイスの動作を管理する方法であって、
前記モバイル・デバイスのバッファのコンテンツ・レベルが、予め定められたレベルに達したかを判定することと、
適切なアクノレッジメントが収集されたかを確証するためアクノレッジメント・セットを評価することと、
限定された時間の間、前記モバイル・デバイスが独占的なアクセスを有する共有リソースで、少なくとも１つのパケットを送信することを備え、
前記評価は、前記コンテンツ・レベルが、前記予め定められたレベルに達した場合になされ、前記少なくとも１つのパケットは、前記パケットが正しく取得されたことに応じて、前記アクノレッジメント・セット内に、アクノレッジメントを追加することを求める要求を含む方法。
【請求項２】
少なくとも１つのアクノレッジメントを収集することをさらに備え、
前記アクノレッジメント・セットは、前記収集されたアクノレッジメントを含む請求項１に記載の方法。
【請求項３】
限定された時間の間、前記モバイル・デバイスが独占的なアクセスを有する共有リソースで、前記モバイル・デバイスから基地局へパケットを転送することをさらに備え、
前記パケットを取得すると、前記基地局は、前記パケットが正しく取得されたとのアクノレッジメントを転送し、前記転送されたアクノレッジメントは、収集されると、前記アクノレッジメント・セットに追加される請求項１に記載の方法。
【請求項４】
適切なアクノレッジメントが考慮されていることを確証することと、
前記適切なアクノレッジメントが考慮されていることが確証されると、通知を送信することとをさらに備え、
前記通知は、前記モバイル・デバイスが独占的なアクセスを有する共有リソースが、リリースされるべきであることを示す請求項１に記載の方法。
【請求項５】
適切なアクノレッジメントが考慮されていないことを確証することと、
少なくとも１つの失われたアクノレッジメントを識別することと、
前記失われたアクノレッジメントと関連するパケットを再送信することと
をさらに備える請求項１に記載の方法。
【請求項６】
前記モバイル・デバイスのため、共有リソースへの独占的なアクセスを要求することと、
前記独占的なアクセスが、時間フレームの間許可されているとの指示を収集することと、
前記共有リソースで、少なくとも１つのパケットを送信することとをさらに備え、
前記少なくとも１つのパケットは、前記パケットが正しく取得されたことに応じて、前記アクノレッジメント・セットに、アクノレッジメントを追加することを求める要求を含む請求項１に記載の方法。
【請求項７】
前記少なくとも１つのパケットが送信されると、タイマを動作させることと、
前記パケットに対するアクノレッジメントをモニタすることと、
前記タイマが、設定されたレベルに達し、アクノレッジメントが収集されない場合、リソース衝突があったと推論することと、
前記推論がなされると、前記共有リソースをリリースすることと
をさらに備える請求項６に記載の方法。
【請求項８】
前記バッファが前記予め定められたレベルに達した場合、タイマを起動することと、
前記タイマをモニタすることと
をさらに備える請求項１に記載の方法。
【請求項９】
前記タイマが終了したことを判定することと、
前記バッファが空であるかを判定し、前記バッファが空であると判定されると、スケジューリング情報が送信されることと、
前記アクノレッジメント・セットが空であるかを判定し、前記アクノレッジメント・セットが空であると判定されると、前記共有リソースがリリースされることと
をさらに備える請求項８に記載の方法。
【請求項１０】
前記スケジューリング情報を伝送するのに最後のパケットで十分であるかを結論付けることと、
肯定的な結論がなされると、前記スケジューリング情報を、前記最後のパケットで転送することと、
否定的な結論がなされると、前記スケジューリング情報を、後のパケットで転送することと
をさらに備える請求項９に記載の方法。
【請求項１１】
前記バッファがパケットを受信したことを特定することと、
前記タイマが終了したかを判定し、終了していなければ、前記タイマがリセットされることと
をさらに備える請求項８に記載の方法。
【請求項１２】
前記モバイル・デバイスのバッファのコンテンツ・レベルが、予め定められたレベルに達したことを判定するチェッカと、
適切なアクノレッジメントが収集されたかを確証するためアクノレッジメント・セットを評価するアナライザと、
限定された時間の間、前記モバイル・デバイスが独占的なアクセスを有する共有リソースで、少なくとも１つのパケットを送信する送信機と
を備え、
前記評価は、前記コンテンツ・レベルが、前記予め定められたレベルに達した場合になされ、前記少なくとも１つのパケットは、前記パケットが正しく取得されたことに応じて、前記アクノレッジメント・セット内に、アクノレッジメントを追加することを求める要求を含む装置。
【請求項１３】
少なくとも１つのアクノレッジメントを収集するオブテイナ（obtainer）をさらに備え、
前記アクノレッジメント・セットは、前記収集されたアクノレッジメントを含む請求項１２に記載の装置。
【請求項１４】
前記モバイル・デバイスから基地局へパケットを転送する送信機をさらに備え、
前記パケットを取得すると、前記基地局は、前記パケットが正しく取得されたとのアクノレッジメントを転送し、前記転送されたアクノレッジメントは、収集されると、前記アクノレッジメント・セットに追加される請求項１２に記載の装置。
【請求項１５】
前記パケットは、限定された時間の間、前記モバイル・デバイスが独占的なアクセスを有する共有リソースで転送される請求項１４に記載の装置。
【請求項１６】
適切なアクノレッジメントが考慮されていることを確証するコンパレータ（comparator）と、
前記適切なアクノレッジメントが考慮されていることが確証されると、通知を送信する送信機とをさらに備え、
前記通知は、前記モバイル・デバイスが独占的なアクセスを有する共有リソースが、リリースされるべきであることを示す請求項１２に記載の装置。
【請求項１７】
適切なアクノレッジメントが考慮されていないことを確証するコンパレータ（comparator）と、
少なくとも１つの失われたアクノレッジメントを識別するクラシファイヤ（classifier）と、
前記失われたアクノレッジメントと関連するパケットを再送信する送信機と
をさらに備える請求項１２に記載の装置。
【請求項１８】
前記モバイル・デバイスのため、共有リソースへの独占的なアクセスを要求するペティショナ（petitioner）と、
前記独占的なアクセスが、時間フレームの間許可されているとの指示を収集するギャザラ（gatherer）と、
前記共有リソースで、少なくとも１つのパケットを送信する送信機とをさらに備え、
前記少なくとも１つのパケットは、前記パケットが正しく取得されたことに応じて、前記アクノレッジメント・セットに、アクノレッジメントを追加することを求める要求を含む請求項１２に記載の装置。
【請求項１９】
前記少なくとも１つのパケットが送信されると、タイマを動作させるセッタ（setter）と、
前記パケットに対するアクノレッジメントをモニタするオブザーバ（observer）と、
前記タイマが、設定されたレベルに達し、アクノレッジメントが収集されない場合、リソース衝突があったと推論するコンクルーダ（concluder）と、
前記推論がなされると、前記共有リソースをリリースするディスチャージャ（discharger）と
をさらに備える請求項１８に記載の装置。
【請求項２０】
前記指示が収集されると、タイマを動作させるセッタ（setter）と、
前記共有リソースの時間フレームが終了したときを特定するエグザミナ（examiner）と、
前記特定がなされると、前記共有リソースをリリースするディスチャージャ（discharger）と
をさらに備える請求項１８に記載の装置。
【請求項２１】
前記時間フレームに基づいてパケット送信を管理するディレクタ（director）をさらに備え、
前記少なくとも１つのパケットの送信は、前記管理にしたがってなされる請求項２０に記載の装置。
【請求項２２】
前記独占的なアクセスは、送信コンテンツのサイズを制限しない請求項１８に記載の装置。
【請求項２３】
モバイル・デバイスの動作を管理するように構成された少なくとも１つのプロセッサであって、
前記モバイル・デバイスのバッファのコンテンツ・レベルが予め定められたレベルに達したことを判定する第１のモジュールと、
適切なアクノレッジメントが収集されたかを確証するためアクノレッジメント・セットを評価する第２のモジュールと、
限定された時間の間、前記モバイル・デバイスが独占的なアクセスを有する共有リソースで、少なくとも１つのパケットを送信する第３のモジュールとを備え、
前記評価は、前記コンテンツ・レベルが、前記予め定められたレベルに達した場合になされ、前記少なくとも１つのパケットは、前記パケットが正しく取得されたことに応じて、前記アクノレッジメント・セット内に、アクノレッジメントを追加することを求める要求を含む少なくとも１つのプロセッサ。
【請求項２４】
コンピュータに対して、モバイル・デバイスのバッファのコンテンツ・レベルが予め定められたレベルに達したことを判定させるための第１のコード・セットと、
前記コンピュータに対して、適切なアクノレッジメントが収集されたかを確証するためアクノレッジメント・セットを評価させるための第２のコード・セットと、
前記コンピュータに対して、限定された時間の間、前記モバイル・デバイスが独占的なアクセスを有する共有リソースで、少なくとも１つのパケットを送信させるための第３のコード・セットとを備え、
前記評価は、前記コンテンツ・レベルが、前記予め定められたレベルに達した場合になされ、前記少なくとも１つのパケットは、前記パケットが正しく取得されたことに応じて、前記アクノレッジメント・セット内に、アクノレッジメントを追加することを求める要求を含む、コンピュータ・プログラム。
【請求項２５】
モバイル・デバイスのバッファのコンテンツ・レベルが予め定められたレベルに達したことを判定する手段と、
適切なアクノレッジメントが収集されたかを確証するためアクノレッジメント・セットを評価する手段と、
限定された時間の間、前記モバイル・デバイスが独占的なアクセスを有する共有リソースで、少なくとも１つのパケットを送信する手段とを備え、
前記評価は、前記コンテンツ・レベルが、前記予め定められたレベルに達した場合になされ、前記少なくとも１つのパケットは、前記パケットが正しく取得されたことに応じて、前記アクノレッジメント・セット内に、アクノレッジメントを追加することを求める要求を含む装置。
【発明の詳細な説明】
【相互参照】
【０００１】
本願は、２００８年１月１０日に出願され「Ｅ−ＤＣＨ  ＲＥＳＯＵＲＣＥ  ＲＥＬＥＡＳＥ  ＩＮ  ＣＥＬＬ＿ＦＡＣＨ  ＳＴＡＴＥ」と題された米国特許出願６１／０２０，２１９号の優先権を主張する。上記出願の全体は、本明細書に参照によって組み込まれる。
【０００２】
また本願は、２００８年３月２４日に出願され「Ｅ−ＤＣＨ  ＲＥＳＯＵＲＣＥ  ＲＥＬＥＡＳＥ  ＩＮ  ＣＥＬＬ＿ＦＡＣＨ  ＳＴＡＴＥ」と題された米国特許出願６１／０３９，０８２号の優先権を主張する。上記出願の全体は、本明細書に参照によって組み込まれる。
【０００３】
さらに本願は、２００８年４月２９日に出願された「Ｅ−ＤＣＨ  ＲＥＳＯＵＲＣＥ  ＲＥＬＥＡＳＥ  ＩＮ  ＣＥＬＬ＿ＦＡＣＨ  ＳＴＡＴＥ」と題された米国特許出願６１／０４８，７８２号の優先権を主張する。上記出願の全体は、本明細書に参照によって組み込まれる。
【技術分野】
【０００４】
以下の説明は、一般に無線通信に関し、さらに詳しくは、共有リソースを管理することに関する。
【背景技術】
【０００５】
無線通信システムは、例えば、音声、データ等のようなさまざまなタイプのコンテンツを通信するために広く開発されてきた。一般的な無線通信システムは、利用可能なシステム・リソース（例えば、帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。
【０００６】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。
【０００７】
ＭＩＭＯシステムは、データ送信のために、一般に、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００８】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、順方向リンク通信と逆方向リンク通信とが共通の周波数領域を適用する。しかしながら、従来の技術は、チャネル情報に関連して、まったくフィードバックを提供しないか、制限されたフィードバックしか提供しない。
【発明の概要】
【０００９】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【００１０】
１つの態様によれば、無線通信デバイスで動作可能なモバイル・デバイスの動作を管理する方法が存在しうる。この方法は、モバイル・デバイスのバッファのコンテンツ・レベルが、予め定められたレベルに達したかを判定することを含みうる。さらに、この方法は、適切なアクノレッジメントが収集されたかを確証するためアクノレッジメント・セットを評価することを含む。この評価は、コンテンツ・レベルが、予め定められたレベルに達した場合になされる。
【００１１】
別の態様では、モバイル・デバイスのバッファのコンテンツ・レベルが、予め定められたレベルに達したことを判定するチェッカを備えた装置が存在しうる。この装置はまた、適切なアクノレッジメントが収集されたかを確証するためアクノレッジメント・セットを評価するアナライザを含みうる。この評価は、コンテンツ・レベルが、予め定められたレベルに達した場合になされる。
【００１２】
さらなる態様は、モバイル・デバイスの動作を管理するように構成された少なくとも１つのプロセッサを含みうる。このプロセッサは、モバイル・デバイスのバッファのコンテンツ・レベルが予め定められたレベルに達したことを判定する第１のモジュールを含みうる。第２のモジュールは、適切なアクノレッジメントが収集されたかを確証するためアクノレッジメント・セットを評価する装置の一部でありうる。この評価は、コンテンツ・レベルが、予め定められたレベルに達した場合になされる。
【００１３】
さらに、態様は、コンピュータ読取可能媒体を備えたコンピュータ・プログラム製品を使用しうる。この媒体は、コンピュータに対して、モバイル・デバイスのバッファのコンテンツ・レベルが予め定められたレベルに達したことを判定させるための第１のコード・セットを含みうる。この媒体はさらに、コンピュータに対して、適切なアクノレッジメントが収集されたかを確証するためアクノレッジメント・セットを評価させるための第２のコード・セットをも含みうる。この評価は、コンテンツ・レベルが、予め定められたレベルに達した場合になされる。
【００１４】
また別の態様では、モバイル・デバイスのバッファのコンテンツ・レベルが予め定められたレベルに達したことを判定する手段を備えた装置が存在しうる。この装置はまた、適切なアクノレッジメントが収集されたかを確証するためアクノレッジメント・セットを評価する手段を用いて機能しうる。この評価は、コンテンツ・レベルが、予め定められたレベルに達した場合になされる。
【００１５】
１つの態様によれば、無線通信デバイスで動作可能な共有リソースの独占的な使用を管理する方法が存在しうる。この方法は、受信機を用いて取得された要求を識別することを含みうる。この要求は、共有リソースの独占的な使用を求めてモバイル・デバイスからなされる。さらに、この方法は、設定された時間長さの間、モバイル・デバイスに対して、共有リソースの独占的な使用を許可することを含みうる。
【００１６】
別の態様では、要求を識別するレコグナイザ（recognizer）を組み込んだ
装置が存在しうる。この要求は、共有リソースの独占的な使用を求めて、モバイル・デバイスからなされうる。この装置はまた、設定された時間長さの間、モバイル・デバイスに対して、共有リソースの独占的な使用を許可するアロケータ（allocator）を組み込みうる。
【００１７】
さらなる態様は、共有リソースの独占的な使用を管理するように構成された少なくとも１つのプロセッサを含みうる。このプロセッサは、要求を識別する第１のモジュールを含み、この要求は、共有リソースの独占的な使用を求めて、モバイル・デバイスからなされる。さらに、このプロセッサは、設定された時間長さの間、モバイル・デバイスに対して、共有リソースの独占的な使用を許可する第２のモジュールを含みうる。
【００１８】
さらに、態様は、コンピュータ読取可能媒体を含むコンピュータ・プログラム製品を使用しうる。この媒体は、コンピュータに対して、要求を識別させるための第１のコード・セットを含みうる。この要求は、共有リソースの独占的な使用を求めるモバイル・デバイスからなされる。また、この媒体は、コンピュータに対して、設定された時間長さの間、モバイル・デバイスに、共有リソースの独占的な使用を許可させるための第２のコード・セットを含みうる。
【００１９】
また別の態様では、要求を識別する手段を組み込んだ装置が存在しうる。この要求は、共有リソースの独占的な使用を求めるモバイル・デバイスからなされる。この装置はまた、設定された時間長さの間、モバイル・デバイスに対して、共有リソースの独占的な使用を許可する手段をも含みうる。
【００２０】
前述した目的および関連する目的を達成するために、１または複数の実施形態は、後に十分に記載され、特許請求の範囲において特に指摘されている特徴を備える。次の記載および添付図面は、１または複数の態様のある零時的な特徴を詳細に記載する。しかしながら、これらの特徴は、さまざまな態様の原理が適用されるさまざまな方法のうちの僅かしか示しておらず、この記述は、そのような全ての態様およびそれらの均等物を示すことが意図されている。
【図面の簡単な説明】
【００２１】
【図１】図１は、本明細書に記載されたさまざまな態様にしたがう無線通信システムの実例である。
【図２】図２は、本明細書で開示された少なくとも１つの態様にしたがって共有リソースを管理する代表的なシステムの実例である。
【図３】図３は、本明細書で開示された少なくとも１つの態様にしたがってアクノレッジメントを処理する詳細なモバイル・デバイスを備えた代表的なシステムの実例である。
【図４】図４は、本明細書で開示された少なくとも１つの態様にしたがって転送されたパケットに対するアクノレッジメントを要求する詳細なモバイル・デバイスを備えた代表的なシステムの実例である。
【図５】図５は、本明細書で開示された少なくとも１つの態様にしたがって、基地局との通信のためにエクスチェンジャ（exchanger）を用いる詳細なモバイル・デバイスを備えた代表的なシステムの実例である。
【図６】図６は、本明細書で開示された少なくとも１つの態様にしたがって、基地局との通信のためにレギュレータを用いる詳細なモバイル・デバイスを備えた代表的なシステムの実例である。
【図７】図７は、本明細書で開示された少なくとも１つの態様にしたがって、基地局との通信を管理するモバイル・デバイスを備えた代表的なシステムの実例である。
【図８】図８は、本明細書で開示された少なくとも１つの態様にしたがってパケット送信を管理するモバイル・デバイスを備えた代表的なシステムの実例である。
【図９】図９は、本明細書で開示された少なくとも１つの態様にしたがって、時間に関して共有リソースを規制する詳細な基地局を備えた代表的なシステムの実例である。
【図１０】図１０は、本明細書で開示された少なくとも１つの態様にしたがうパケット管理のための詳細な基地局を備えた代表的なシステムの実例である。
【図１１】図１１は、本明細書で開示された少なくとも１つの態様にしたがう詳細な基地局を備え、アクノレッジメントおよびパケット処理のための代表的なシステムの実例である。
【図１２】図１２は、本明細書で開示された少なくとも１つの態様にしたがうパケット管理のための代表的な方法の実例である。
【図１３】図１３は、本明細書で開示された少なくとも１つの態様にしたがって共有リソースに関するタイミング機能を実行する代表的な方法の実例である。
【図１４】図１４は、本明細書で開示された少なくとも１つの態様にしたがう共有リソースの管理のための代表的な方法の実例である。
【図１５】図１５は、本明細書で開示された少なくとも１つの態様にしたがって、共有リソースをリリースするかを決定するための代表的な方法の実例である。
【図１６】図１６は、本明細書で開示された少なくとも１つの態様にしたがう代表的なタイミングの実例である。
【図１７】図１７は、本明細書で開示された少なくとも１つの態様にしたがって、共有リソースの割り当てを容易にするモバイル・デバイスの実例である。
【図１８】図１８は、本明細書で開示された少なくとも１つの態様にしたがって共有リソースの管理を容易にするシステムの実例である。
【図１９】図１９は、本明細書で開示されたされたさまざまなシステムおよび方法と共に適用されうる無線ネットワーク環境の実例である。
【図２０】図２０は、本明細書で開示された少なくとも１つの態様にしたがって、モバイル・デバイスのために共有リソースの使用を容易にするシステムの実例である。
【図２１】図２１は、本明細書で開示された少なくとも１つの態様にしたがって共有リソース管理を容易にするシステムの実例である。
【発明を実施するための形態】
【００２２】
さまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の実施形態の記載を容易にするために、周知の構成およびデバイスがブロック図形式で示される。
【００２３】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２４】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな態様が、基地局に関して記載される。基地局は、無線端末と通信するために利用することができ、アクセス・ポイント、ノードＢ、あるいはその他のいくつかの専門用語でも称されうる。
【００２５】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する」という句は、以下の例の何れによっても満たされる。ＸはＡを適用する。ＸはＢを適用する。あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２６】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハードディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２７】
本明細書に記載された技術は、ＣＤＭＡ、ＴＤＭＡ、ＦＤＭＡ、ＯＦＤＭＡ、ＳＣ−ＦＤＭＡ、およびその他のシステムのようなさまざまな無線通信システムのために使用することができる。「システム」および「ネットワーク」という用語はしばしば置換可能に使用される。ＣＤＭＡシステムは、例えばユニバーサル地上ラジオ・アクセス（ＵＴＲＡ）やＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばＥｖｏｌｖｅｄ  ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（unpaired）な無許可のスペクトル、８０２．ｘｘ無線ＬＡＮ、Ｂｌｕｅｔｏｏｔｈ（登録商標）、およびその他任意の短距離または長距離の無線通信技術を用いたピア・トゥ・ピア（例えば、モバイル・トゥ・モバイル）アド・ホック・ネットワーク・システムを含みうる。
【００２８】
さまざまな態様または特徴が、多くのデバイス、構成要素、モジュール等を含みうるシステムの観点から示されるだろう。さまざまなシステムが、追加のデバイス、構成要素、およびモジュール等を含むか、および／または、図面と関連して説明したようなデバイス、構成要素、モジュール等のうちのすべてを含みうることが理解および認識されるべきである。これらのアプローチの組み合わせもまた使用されうる。
【００２９】
図１に示すように、本明細書に記載されたさまざまな実施形態にしたがった無線通信システム１００が例示されている。システム１００は、複数のアンテナ・グループを含みうる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００３０】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３１】
通信するように指定された領域および／またはアンテナのセットは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。さらに、また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００３２】
図２を参照して、（例えば、共通制御チャネル（ＣＣＣＨ）メッセージまたは専用制御チャネル（ＤＣＣＨ）メッセージのためのエンハンスト専用チャネル（Ｅ−ＤＣＨ）のような）共有リソースを管理するシステム２００の例が開示される。無線通信システムでは、（例えば、基地局２０４のような）基地局に関連付けられた（例えば、モバイル・デバイス２０２のような）複数のモバイル・デバイスの間で、一定のリソースが共有されうる。しかしながら、適切な動作が生じるために、例えば、送信のために、限定されたメッセージ・サイズ（例えば、バイト数）のように、限定された、すなわち、制限された共有リソースしか提供されないか、あるいは、制限された時間にしか共有リソースを独占的に使用することができない。さらに、複数のメッセージが送信される場合、限定されたメッセージ・サイズは、１つのメッセージのサイズでありうる。独占的なアクセスが提供されない場合、基地局は、複数のモバイル・デバイスからのパケットを受信し、どのパケットがどのモバイル・デバイスから送信されているのかを区別することが困難になるので、メッセージが喪失されたり、動作が不能になったり等する。
【００３３】
（例えば、チェッカ２０６およびアナライザ２０８を備えた）モバイル・デバイス２０２は、共有リソースへのアクセスを要求し、基地局２０４は、共有リソースへのアクセスを規制しうる。レコグナイザ２１０は、この要求を識別するために適用される（たとえば、この要求は、共有リソースの独占的な使用を求めて、モバイル・デバイス２０２からなされる）。基地局２０４は、共有リソースを評価し、このリソースが、別のモバイル・デバイスによって独占的に使用されているのかを判定する。さらに、基地局２０４は、共有リソースに関連するチェックを行う（例えば、モバイル・デバイス２０２が、このリソースへのアクセスが許可されるかが判定される）。適切な許可によって、基地局２０４は、例えば、アロケータ２１２を用いることによって、設定された時間長さの間、モバイル・デバイス２０２によるこのリソースの独占的な使用を許可しうる。基地局２０４の一部として示されているが、例えば、レコグナイザ２１０および／またはアロケータ２１２を用いた態様は、例えば個別の、独立したエンティティのような他のデバイス上で動作しうることが認識されるべきである。
【００３４】
モバイル・デバイス２０２および基地局２０４は、情報を交換することができ、モバイル・デバイス２０２は、（例えば、アップリンクにおいて）基地局２０４へパケットを送信することができる。基地局２０４は、収集したパケット（例えば、メッセージは、少なくとも１つのパケットから構成される）を処理し、（例えば、ダウンリンクによって）モバイル・デバイス２０２へアクノレッジメントを転送する。１つの実施形態によれば、モバイル・デバイス２０２によって転送されたパケットは、サイズが制限されていない。しかしながら、サイズ制限を設けることは可能である。
【００３５】
モバイル・デバイス２０２の（例えば、最初の送信の試みを待つデータを含む）バッファのコンテンツ・レベルが、予め定められたレベルに達したのか（例えば、ゼロ。すなわち、モバイル・デバイス２０２にとって、最初の試みにおいて、転送すべきパケットが存在しない）を判定するチェッカ２０６が使用されうる。アナライザ２０８は、適切なアクノレッジメントが考慮されたかを確証するためアクノレッジメント・セットを評価するために適用されうる。１つの実施形態において、この評価は、コンテンツ・レベルがゼロに達した場合になされる。転送すべき情報が存在せず（例えば、バッファが空であり、特定のメッセージのためのバッファのコンテンツ・レベルがゼロである場合等）、適切なアクノレッジメントが受信された場合、モバイル・デバイス２０２は、リソースをリリースしうる。タイマは、モバイル・デバイス２０２による共有リソースの使用を終了させうるが、このリソースは、適切なアクノレッジメントが受信されるまで、リリースが保留とされる。さらに、このリソースは、（たとえば、タイマが終了する前に、すべてのパケットが送信され、アクノレッジされると）タイマが終了する前にリリースされうる。モバイル・デバイス２０２の一部として示されているが、例えばチェッカ２０６および／またはアナライザ２０８を用いた態様は、例えば個別の独立したエンティティのようなその他のデバイスでも動作しうることが認識されるべきである。
【００３６】
バッファが予め定められたレベルに達すると、チェッカ２０６は、タイマを起動し、タイマをモニタする。アナライザ２０８は、タイマが終了したときを判定し、バッファが空であるかを判定する。そして、バッファが空であると判定されると、スケジューリング情報が送信されうる。
【００３７】
最後のパケットがこのスケジューリング情報を搬送するのに十分であるかについての結論が、アナライザ２０８によってなされうる。肯定的な結論である場合、（例えば、送信機によって）最後のパケットで、スケジューリング情報が転送され、否定的な結論である場合、その後のパケットで、スケジューリング情報が転送される。アナライザ２０８はまた、アクノレッジメント・セットが空であるかをも判定し、アクノレッジメント・セットが空であると判定されると、リソースがリリースされうる。さらに、アナライザ２０８は、バッファがパケットを受信したことを特定するのみならず、タイマが終了したかの判定もしうる。もしタイマが終了していない場合、タイマはリセットされうる。
【００３８】
図３を参照して、基地局２０４と（チェッカ２０６およびアナライザ２０８を備えた）モバイル・デバイス２０２との間での通信のための共有リソースを管理するシステム３００の例が開示される。モバイル・デバイス２０２は、モバイル・デバイス２０２が限定された時間の間、独占的なアクセスを有する共有リソースで、少なくとも１つのパケットを送信する送信機３０２（例えば、アンテナ）を適用しうる。１つの実施例では、この少なくとも１つのパケットは、パケットの取得（例えば、収集、収集および処理等）に成功したことに応じて、アクノレッジメント・セット内に、アクノレッジメントを追加することを求める要求を含む。（例えば、受信機３０６によって収集される）少なくとも１つのアクノレッジメントを収集する取得部３０４が使用されうる。ここで、アクノレッジメント・セットは、収集されたアクノレッジメントを含みうる。
【００３９】
代替実施形態では、送信機３０２が、モバイル・デバイス２０２から基地局２０４へパケットを転送し、基地局２０４は、パケットを取得すると、このパケットが正しく取得されたとのアクノレッジメントを転送する。そして、転送されたアクノレッジメントが、収集時において、アクノレッジメント・セットへ追加される。例えば、このパケットは、モバイル・デバイスが、限定された時間の間、独占的なアクセスを有する共有リソースで転送される。このアクノレッジメントとパケットとの一致をとるチェックがなされ、一致したパケットがバッファから削除されうる（例えば、一致しないパケットは、バッファのコンテンツ・レベルを表す）。したがって、バッファは、既に送信され、アクノレッジメントを待っているパケットのみならず、初回の送信を待っているパケットをも含みうる。
【００４０】
図４に示すように、基地局２０４と通信しており、（例えば、チェッカ２０６およびアナライザ２０８を備えた）モバイル・デバイス２０２を備えたシステム４００の例が開示される。アナライザ２０８の出力（例えば、アクノレッジメントが考慮されているかの判定）に基づいて、コンパレータ４０２は、適切なアクノレッジメントが考慮されているか否かを確証することができる。アクノレッジメントが考慮されていることが確証された（例えば、転送されたおのおののパケットが、収集され関連付けられたアクノレッジメントを有している）場合、適切なアクノレッジメントが考慮されていることが確証されると、送信機３０２は、（例えば基地局２０４へ）通知を送りうる。この通知は、これ以上送信するデータが存在せず、モバイル・デバイス２０２が独占的なアクセスを有する共有リソースがリリースされるべきであることを示しうる。
【００４１】
しかしながら、コンパレータ４０２は、（例えば、アナライザ２０８の結果に基づいて）（例えば、少なくとも１つの）アクノレッジ喪失があることを確証することがありうる。クラシファイヤ４０４は、アクノレッジメント・セットを評価し、少なくとも１つの喪失したアクノレッジメントを特定しうる。送信機３０４は、喪失したアクノレッジメントと関連するパケットを再送信しうる。代替実施形態では、送信機３０４が、なぜアクノレッジメントがアクノレッジメント・セットにないのか（例えば、基地局２０４がパケットを受信しなかった、パケットの識別も処理も成功しなかった、アクノレッジメントが通信中に失われた等）を判定するために、基地局２０４へ、ステータス・チェックを送信しうる。応答に基づいて、モバイル・デバイス２０２は、動作しうる（例えば、パケットの再送信、別のアクノレッジメントの要求等を行う）。
【００４２】
図５に示すように、基地局２０４からの独占的なアクセスを要求する詳細な（例えば、チェッカ２０６およびアナライザ２０８を備えた）モバイル・デバイス２０２を備えたシステム５００の例が開示される。エクスチェンジャ（exchanger）５０２は、特に、共有リソースに対する要求を行うことに関し、モバイル・デバイス２０２を基地局２０４と接続するために使用されうる。エクスチェンジャ５０２は、モバイル・デバイスの動作（例えば、現在の動作、スケジューリングされた動作等）を評価し、共有リソースが（例えば、最適動作を容易にするために）（例えば、限定された時間の間）モバイル・デバイスに特化されうるべきと判定しうる。したがって、リソースが使用されるべきであることをモバイル・デバイス２０２が判定するのみならず、適切に送信するために、モバイル・デバイス２０２がどれだけ長くリソースを必要とすべきかを判定する（例えば、推定する）分析もなされうる。
【００４３】
ペティショナ（petitioner）５０４は、モバイル・デバイス２０２のための、共有リソースへの独占的なアクセスを要求しうる。基地局２０４は、この要求を受け取り、この要求の内容を処理し、独占的なアクセスが許可されたことを示す指示を生成する。これは、モバイル・デバイス２０２へ送られる。ギャザラ（gatherer）５０６は、独占的なアクセスが時間フレームの間許可されたことを示す指示を収集しうる。送信機３０４は、共有リソースで、少なくとも１つのパケットを送信しうる。１つの実施形態によれば、少なくとも１つのパケットは、パケットが正しく取得されたことに応じて、アクノレッジメント・セット内に、アクノレッジメントを追加することを求める要求を含む。エクスチェンジャ５０２の一部として示されているが、ペティショナ５０４、ギャザラ５０６、および／または送信機３０４は、個別のユニットとして実現しうることが認識されるべきである。
【００４４】
図６に示すように、基地局２０４から割り当てられたリソースの使用に関する時間を管理する（例えば、チェッカ２０６およびアナライザ２０８を備えた）モバイル・デバイス２０２を備えたシステム６００の例が開示される。モバイル・デバイス２０２は、時間フレーム後の限定された時間の間、共有リソースの独占的な使用が許可されうる。また、モバイル・デバイス２０２は（例えば、時間が延長されていない、あるいは、他のセッションが承認されていない等の場合）、使用が禁止され、例えば、他のモバイル・デバイスがこのリソースを使用することができる。モバイル・デバイス２０２が独占的なアクセスを有している間に、他のモバイル・デバイスが、共有リソースを使用することを望んでいるので、独占的な使用の時間を管理するレギュレータ６０２が適用されうる。
【００４５】
レギュレータ６０２は、共有リソースに関連して、（例えば、少なくとも１つのパケットが送信されると、基地局２０４から指示を取得すると、指示された時間において、および／または、指示に含まれる時間長さの間等）タイマを動作させることができる。ディスチャージャ（discharger）６０４は、（例えば、時間が終了したことを識別したり、リソース衝突があると推論されたり等のような）適切な時間に、独占使用から共有リソースをリリースするために適用される。さらに、レギュレータ６０２は、共有リソースへの独占的なアクセスを要求する際に使用するエクスチェンジャ５０２を含みうる。
【００４６】
図７に示すように、基地局２０４および（例えば、チェッカ２０６およびアナライザ２０８を備えた）モバイル・デバイス２０２に関するリソース衝突管理のためのシステム７００の例が開示される。基地局２０４は、共有リソースの独占的な使用を求める要求を一度に（例えば、同一時間に、許容範囲を持つ時間に）取得することが可能である。（例えば、１を超える要求者に対して、リソースを許可することにより）リソース衝突がある場合、基地局２０２は、別のメッセージからパケットを区別することが困難になりうる。
【００４７】
独占的なアクセスを求めるモバイル・デバイス２０２は、レギュレータ６０２を使用しうる。１つの実施形態では、基地局２０４から何の指示も受信しない場合、衝突が生じたと推論され、（例えば、別の衝突をもたらしている別のモバイル・デバイスと同じ時間における送信を回避するために）時間範囲内のランダムな時間において、別の要求が送信されうる。逆に、基地局２０４は、複数のモバイル・デバイスに対してアクセスを許可し、モバイル・デバイス２０４は、独占的なアクセスが許可されたとの通知を受信しうる。パケットが転送され、パケットに対するアクノレッジメントをモニタするオブザーバ（observer）７０２が適用されうる。設定されたレベルにタイマが到達し、アクノレッジメントが収集されない場合に、リソース衝突があったと推論するコンクルーダ（concluder）７０４が使用されうる。例えば、基地局２０４は、どのモバイル・デバイスがパケットを送信しているのかを識別することが困難であり、アクノレッジメントは転送されない。
【００４８】
図８に示すように、（例えば、チェッカ２０６およびアナライザ２０８を備えた）モバイル・デバイス２０２のために、基地局２０４によって許可されたリソース使用を計時するシステム８００の例が開示される。レギュレータ６０２は、（例えば、メッセージ・サイズを制限しない）共有リソースへのプライベートなアクセスのために基地局２０４と接続しうる。この接続の一部として、基地局２０４は、モバイル・デバイスがプライベートなアクセスを有する時間長さを制限し、モバイル・デバイス２０２は、タイマをセットしうる。
【００４９】
このタイマが動作すると、共有リソースの時間フレームが終了したときを特定するエグザミナ（examiner）８０２が使用されうる。終了した場合、あるいは、終了に近い場合、モバイル・デバイス２０２は、転送された適切なアクノレッジメントをパケットが有しているかを判定しうる。アクノレッジメントが受信された場合、あるいは、タイマが終了した場合、独占的なアクセスが終了されうる。
【００５０】
アクセスのための時間が制限されているので、ディレクタ（director）８０４は、時間フレームに基づいて、パケット送信を管理しうる。したがって、この管理にしたがって、少なくとも１つのパケットの送信がなされる。例えば、モバイル・デバイス２０２は、比較的多くの転送すべき情報を有しているが、比較的多くの要求によって、モバイル・デバイスは、短い時間フレームしか提供されない。モバイル・デバイス２０２は、最重要度を持つメッセージを選択し、時間フレーム制限を満足するために、これらメッセージを最初に転送しうる。（そして、例えば、通信セッションのために、バッファのコンテンツ・レベルをゼロに設定しうる。）１つの実施形態によれば、独占的なアクセスを求める要求は、プライベートなアクセスのために示唆または要求された時間の長さを含みうる。
【００５１】
図９に示すように、例えば、モバイル・デバイス２０２と通信するような（例えば、レコグナイザ２１０またはアロケータ２１２を備えた）基地局２０４の動作を管理するシステム９００の例が開示される。基地局２０４は、共有リソースを管理するためにアジャスタ９０２を適用しうる。モバイル・デバイス２０２に対する共有リソースへの独占的な使用許可を解除するリミッタ９０４が適用されうる。
【００５２】
１つの実施例では、リミッタ９０４は、（例えば、タイマをモニタすることによって）設定された時間長さが終了すると、独占的な使用許可を解除するストッパ９０６を含みうる。したがって、モバイル・デバイス２０２に共有リソースを提供する場合、時間制限が課せられうる。解除は、（例えば、時間が終了した場合に許可が解除されるような）確たるものであるのみならず、（例えば、時間が終了した場合であっても、適切なパケットおよびアクノレッジメントが転送されるまでリソースがフリーにされないように）フレキシブルでもありうる。
【００５３】
モバイル・デバイスが共有リソースで送信するパケットがないとの通知（例えば、バッファ・コンテンツ・レベルがゼロである場合や、時間がほとんど終了している場合等にモバイル・デバイスによって送信される）を収集するトランシーバ９０８が使用されうる。少なくとも１つの正しく処理されなかったパケットが存在し、パケットが再送信されるとの要求が発行されたかを（例えば、トランシーバ９０８の送信部によって）判定するチェッカ９１０が使用されうる。１つの実施形態によれば、正しく処理されなかったパケットが存在しないと判定されると、独占的な使用許可が解除される。独占的な使用許可の解除が表明されると、（例えば、モバイル・デバイスの動作に関わらず）リソースがリリースされるべきであるとの指示が、モバイル・デバイスへ転送される。
【００５４】
図１０に示すように、モバイル・デバイス２０２と、（例えば、レコグナイザ２１０および／またはアロケータ２１２を備えた）基地局２０４との間の通信を処理するシステム１０００の例が開示される。アジャスタ９０２は、モバイル・デバイスによる共有リソースの使用を規制するために使用されうる。アジャスタ９０２は、モバイル・デバイスが共有リソースを使用できるときを決定するスケジューラを使用しうる。このスケジューラは、モバイル・デバイスに対してオープンにされうるので、モバイル・デバイスは、リソースに関する準備をすることができうる。
【００５５】
メッセージ（例えば、ＣＣＣＨメッセージ）は、互いに相互に関係する複数のパケットからなりうる。パケットが失われた場合（例えば、送信中に失われた場合）、基地局２０４は、メッセージを評価することが困難でありうる。基地局は、収集したパケットを評価しうる。そして、正しく処理されなかったパケットが少なくとも１つ存在すると判定すると（例えば、この判定はアジャスタ９０２によってなされる）、（例えば、説明できないパケットである）欠陥パケットを識別するディスカバラ（discoverer）１００２を適用しうる。欠陥パケットが識別されると、アプライヤ（applier）１００４が、この欠陥パケットの再送信を要求しうる。独占的な使用許可を、収集された通知に基づいて解除することは、欠陥パケットが目立って存在する場合に、停止されうる。
【００５６】
図１１に示すように、モバイル・デバイス２０２と、（レコグナイザ２１０およびアロケータ２１２を備えた）基地局２０４との通信のためのシステム１１００の例が開示される。この基地局２０４は、リミッタ９０４を使用しうる。設定された時間長さの間、共有リソースでパケットを収集するために、基地局２０４によって受信機１１０２が適用されうる。パケットが評価されると、コミュニケータ１１０４が、パケット収集のアクノレッジメントをモバイル・デバイスへ転送しうる。
【００５７】
本明細書で開示された判定および推論を実現するために、人工知能技術が使用されうることが認識されるべきである。本明細書に記載されたさまざまな自動化態様を実施することにより、これらの技術は、（例えば、Ｈｉｄｄｅｎ  Ｍａｒｋｏｖ  Ｍｏｄｅｌｓ（ＨＭＭ）および関連する原型依存モデル、例えば、Ｂａｙｅｓｉａｎモデル・スコアまたは近似を用いた構造探索によって生成されるＢａｙｅｓｉａｎネットワークのようなより一般的な確率論的グラフィック・モデル、例えば、サポート・ベクトル・マシン（ＳＶＭ）のような線形クラシファイヤ、例えば、「ニューラル・ネットワーク」方法と称される方法のような非線形クラシファイヤ、ファジー理論方法、および、データ融合を実行するその他のアプローチ等のように）データから学習を行い、複数の記憶装置に情報を動的に格納することに関連する推論および／または判定を行うための数多くの方法のうちの１つを適用しうる。これらの技術はまた、定理証明や、よりヒューリスティックな規則ベースのシステムのような理論関係を取得のための方法をも含みうる。これらの技術は、いくつかの場合には、別の（サード）パーティによって設計される外部プラグ可能モジュールとして表されうる。
【００５８】
以下のパラグラフは、例えば、本明細書で開示された態様の処理のような技術的特徴を強調し、特許請求の範囲または開示の範囲を限定することは意図されていない。ＵＥ（例えば、モバイル・デバイス２０２のようなユーザ機器）は、少なくとも以下の条件の下でＤＴＣＨ（専用トラフィック・チャネル）／ＤＣＣＨを送信する場合、共通のＥ−ＤＣＨを暗黙的にリリースしうる。まず、ＵＥがＣＥＬＬ＿ＦＡＣＨ（例えば、ＵＴＲＡ（ＵＳＴＳ（ユニバーサル・モバイル・テレコミュニケーション・システム）地上ラジオ・アクセス）ＲＣＣ（ラジオ・コモン・キャリア）接続モード状態）における共通のＥ−ＤＣＨリソースで送信している間、生じているダウンリンク・アクティビティ（ＨＳ−ＤＳＣＨ（高速ダウンリンク共有チャネル）送信）がない。最後のＭＡＣ−ｉ  ＰＤＵ（メッセージ許可コード−統合プロトコル・データ・ユニット）を送信すると、ＵＥは、ＭＡＣ−ｉ  ＰＤＵでＳＩ（ステータス問い合わせ）＝０（例えば、エンプティ・バッファ・ステータス・レポート）を送信する前に、ある時間長さ待機する。ＳＩ＝０を送信した後は、ＵＥがＳＩ＝０を含むＭＡＣ−ｉへのＡＣＫ（アクノレッジメント）を受信した場合であっても、ＵＥは、ＳＩ＝０を送信する前に送信されたすべてのペンディングのＭＡＣ−ｉ  ＰＤＵのすべての最大再送信に対応する期間待つか、あるいは、Ｅ−ＤＣＨリソースをリリースする前に、どれが最初であれ、すべてのペンディングのＭＡＣ−ｉ  ＰＤＵが正しくアクノレッジされるまで待つ。ノードＢ（例えば、基地局２０４）がＳＩ＝０を受信すると、ＳＩ＝０を含むＭＡＣ−ｉ  ＰＤＵ以前に送信されたすべてのＭＡＣ−ｉ  ＰＤＵを受信しなければならないのであれば、ノードＢは、ＳＩ＝０を送信する前に送信されたすべてのペンディングのＭＡＣ−ｉ  ＰＤＵの最大数の再送信を待つか、あるいは、Ｅ−ＤＣＨリソースをリリースする前に、どれが最初であれ、ペンディングのＭＡＣ−ｉ  ＰＤＵが正しくアクノレッジされるまで待つ。フレキシブルなＵＬ（アップリンク）スケジューリングを保つために、高い値、すなわち、「インアクティブ」なＥ−ＡＧＣＨ（enhanced access grant channel）コード・ポイントを、Ｅ−ＡＧＣＨの絶対的な許可範囲をもって確保し、「全ＨＡＲＱ（Hybrid Automatic Repeat-request）プロセス」に設定し、Ｅ−ＤＣＨリソース・リリースを示すことが可能でありうる。
【００５９】
図１２に示すように、（例えば、メッセージ・サイズに関係なく）制限された時間の間、共有リソースの独占的な使用に関し、モバイル・デバイスを動作させる方法１２００の例が開示される。公共リソースを使用する独占的な権利を求める要求がなされ、その使用のための期間が与えられうる。提供された時間フレームに基づいて、動作１２０２では、パケットがどのように通信されるべきかに関する管理がなされうる。
【００６０】
この管理（例えば、パケットが転送されるべきシーケンス）に基づいて、動作１２０４においてパケット転送がなされ、パケットは、共有リソースによってモバイル・デバイスから基地局へと転送される。イベント１２０４では、モバイル・デバイスのバッファが評価される（例えば、おのおののパケットが送信された後にチェックされる）。この評価の結果に基づいて、チェック１２０８において、コンテンツ・レベルがゼロである（例えば、レベルが全体にわたってゼロである、特定のメッセージに関連付けられたレベルがゼロである、スケジュールされたパケット・リストがゼロである等）かが判定されうる。
【００６１】
コンテンツ・レベルがゼロではないと判定された場合、動作１２０４において、別のパケットが転送されうる。代替実施形態では、なぜレベルがゼロでない（例えば、誤りによって）のかについて、バッファが評価される。コンテンツ・レベルが０である場合（例えば、バッファからクリアされないパケットが存在しても、すべてのパケットが転送された場合）、動作１２１０において、アクノレッジメント・セットが評価されうる。チェック１２１２がなされ、期待されたアクノレッジメントが収集されたかが判定される。
【００６２】
期待されたパケットがもはや存在しない場合、イベント１２１４において、共有リソースがリリースされるべき通知が転送なされうる。しかしながら、アクノレッジメントが失われた場合、動作１２１６において、失われたアクノレッジメントの特定がなされ、動作１２１８において、アクノレッジメントに対応しないパケットが特定される。イベント１２２０では、基地局へパケットが再送信される。そして、適用可能であれば、モバイル・デバイスによってアクノレッジメントが送信および処理され、イベント１２１４が通知される。
【００６３】
図１３に示すように、共有リソースの利用のタイミングを図る方法１３００の例が開示される。動作１３０２では、独占的なアクセスを求める要求がなされ、この要求が、応答に基づいて許可される。そして、メッセージの一部であるパケットが転送されうる。パケットが送信されると、動作１３０４では、パケット（例えば、アクノレッジメント）転送に対する応答を求めるモニタリングがなされる。
【００６４】
応答が収集されたかを判定するチェック１３０６がなされ、もしも応答が収集されていないのであれば、別のチェック１３０８がなされ、設定された時間基準を超えているかが判定される。この基準を超えている場合、方法１３００は、動作１３０４におけるモニタリングに戻る。しかしながら、タイム・リミットを超えている場合、動作１３１０において、リソース衝突が生じたとの推論がなされうる。リソース衝突であると推論された場合、方法１３００は、共有リソースをリリースしうる。
【００６５】
チェック１３０６において、応答が収集されたと判定されると、動作１３１２において、応答（例えば、アクノレッジメント、誤りメッセージ等）が収集され、イベント１３１４において、アクノレッジメント・セットに追加される。リソースの独占的な使用のための時間が経過したかを判定するチェック１３１６がなされうる。時間が経過したと判定されると、動作１３１８において、共有リソースがリリースされうる。例えば、リリースを実行する前に適切なアクノレッジメントが存在することを判定するなどのような、その他の実施例も実現されうる。
【００６６】
時間がまだ終了していないのであれば、最初の送信のためのデータが、バッファ（例えば、モバイル・デバイスのバッファ）内に存在しかいかを判定するチェック１３２０がなされうる。代替実施形態によれば、チェック１３２０は、チェック１３１６の前になされる。コンテンツ・レベルがフルであると考えられない場合、この方法は動作１３０２に戻り、別のパケットが転送される。しかしながら、コンテンツ・レベルがフルである場合、動作１３２２においてアクノレッジメント・セットが評価され、この応答に基づいて、適切な動作が生じうる（例えば、リソースがリリースされる、失われたアクノレッジメントを求める要求が転送される等）。
【００６７】
図１４に示すように、共有リソースの割当を管理する方法１４００の例が開示される。動作１４０２では、リソースに対する独占的な（例えば、ある期間、基地局が許可する限り等）アクセスを求める要求が（例えば、基地局において）収集されうる。この要求は、イベント１４０４において、どのリソースが要求されているかを含むこの要求の特性を判定するために評価されうる。１つの実施例では、基地局とともに複数の共有リソースが存在しうる。そして、異なるモバイル・デバイスが、種々のリソースの使用を要求しうる。
【００６８】
要求されたリソースがすでに別のモバイル・デバイスによって使用されているかを判定するためのチェック１４０６が実行されうる。既に使用されている場合、動作１４０８において、この要求は拒否されうる。実例となる実施形態では、例えば占有の評価が行われ、どのモバイル・デバイスがリソースを使用しているか、要求元のリソースが、ユーザ・デバイスよりも高い優先度を有しているか（例えば、それによって、ユーザが解除されうるか）、ユーザがどれだけ長く独占的なアクセスを有しているのか、要求元のモバイル・デバイスがスケジュールに追加されうるか等が判定されうる。リソースがすでに使用されていない場合、イベント１４１０において、独占的なアクセスが許可されうる。イベント１４０４の評価の一部として、（例えば、モバイル・デバイスが許可されているか、リソースが独占的なアクセスのために提供されるよう許可されているか等に基づいて）モバイル・デバイスが独占的なアクセスを許可されるべきかが判定されうる。
【００６９】
動作１４１２では、独占的な使用がもはや適切ではない（例えば、タイマが終了している、バッファのコンテンツ・レベルがフルである等）ことを示す通知が収集されうる。失われたパケットがあるかを判定するチェック１４１４がなされうる。例えば、収集されたメッセージ・パケットが評価され、失われたパケットがあるかが判定される。失われたパケットがない場合、イベント１４１６において、独占的な使用の許可が解除される。しかしながら、失われたパケットがあるのであれば、動作１４１８において、欠陥パケットが特定され、この失われたパケットの再送信が要求されうる。いくつかの要求の後、パケットが収集されないのであれば、メッセージが無視され、エラー・レポートが生成されうる。
【００７０】
図１５に示すように、共有リソースの独占的な許可の管理に関するタイマを用いる方法１５００の例が開示される。１５０２において、独占的な使用を求める要求が識別され、動作１５０４において、独占的な使用が許可されうる。独占的な許可がなされる場合、動作１５０６において（例えば、基地局、モバイル・デバイス等において）タイマが起動される。イベント１５０８では、メッセージのパケットが収集され、動作１５１０では、適切なアクノレッジメントが判定され転送されうる。
【００７１】
動作１５１２では、タイマがモニタされ、時間切れになったかを判定するチェック１５１４がなされうる。時間切れになっていない場合、モニタリングが継続される（例えば、方法１５００は動作１５１２に戻る）。しかしながら、時間切れになった場合、イベント１５１６において、通信セッションが評価される（例えば、すべての適切なアクノレッジメントが送信されたと判定されると、これら適切なパケットが受信され処理される等）。イベント１５１８では、（例えば、アクノレッジメントの欠陥、パケットの欠陥等により）判定された誤りが、（例えば、適切な訂正方法が決定された上に）訂正され、動作１５２０において、独占的な使用が解除される。
【００７２】
図１２乃至図１５を参照して、共有リソースの割当に関連するタイマに関する方法が開示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００７３】
本明細書に記載された１または複数の態様によれば、独占的な使用が許可されるべきか、独占的な使用が終了するべきかに関する推論がなされうることが認識されよう。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７４】
例によれば、上述した１または複数の方法は、パケット・アクノレッジメントに関する推論を行うことを含みうる。さらなる例によれば、パケットの通信、タイマの終了等に関して推論がなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００７５】
図１６は、本明細書に開示された態様にしたがって使用されるタイミング図１６００の例を示す。少なくとも部分的に、このタイミング図１６００は、アップリンク（ＵＬ）、ハイブリッド自動反復要求（Ｈ−ＡＲＱまたはＨＡＲＱ）、あるいはトータルＥ−ＤＣＨバッファ・ステータス（ＴＥＢＳ）に関する態様に関連しうる。図１６に関連して開示された態様は、少なくとも、図２のアナライザ２０８または図２のレコグナイザ２１０によって実現されうる。
【００７６】
ＣＥＬＬ＿ＦＡＣＨ状態およびアイドル・モードにおけるＦＤＤ送信およびＣＣＣＨ送信の場合、スケジューリング情報（ＳＩ）の送信は、ＴＥＢＳがゼロになり、最後のデータを含むＭＡＣ−ｉ  ＰＤＵが送信される場合にのみトリガできるようになされうる。サービス提供許可が、最後に残っているデータとともにＳＩを十分に伝送できる場合、最後のデータを伝送するＭＡＣ−ｉ  ＰＤＵとともにＳＩが送信されうる。できない場合、エンプティ・バッファ・ステータス・レポートが、次のＭＡＣ−ｉ  ＰＤＵを用いて別途送信されうる。
【００７７】
ＣＥＬＬ＿ＦＡＣＫ状態におけるＦＤＤ送信およびＤＴＣＨ／ＤＣＣＨ送信の場合、スケジューリング情報の送信がトリガされ、ＴＥＢＳがゼロを維持すると、「無限」ではないＥ−ＤＣＨ送信継続バック・オフ期間によって与えられた期間、送信されるべき高次のレイヤ・データは、ＭＡＣ内に存在しない。「無限」または「ゼロ」に設定されたＥ−ＤＣＨ送信継続バック・オフ期間を持つＣＥＬＬ＿ＦＡＣＨ状態におけるＦＤＤ送信およびＤＴＣＨ／ＤＣＣＨ送信の場合、ＴＥＢＳがゼロになる毎にスケジューリング情報の送信がトリガされ、エンプティ・バッファ・ステータス・レポートとともに、スケジューリング情報を含むＭＡＣ−ｉ  ＰＤＵを送信した後、送信されるべき高次のレイヤ・データは、ＭＡＣ内に存在しない。
【００７８】
スケジューリング情報が、ＭＡＣ−ｅあるいはＭＡＣｉ  ＰＤＵに含まれている場合、スケジューリング情報はＴＥＢＳステータスにかかわらず送信されるであろう。ＵＥがＣＥＬＬ＿ＦＡＣＨ状態またはアイドル・モードでＣＣＣＨデータを送信する場合、ＵＥは、例えば以下の条件において、共通のＥ−ＤＣＨリソースをリリースしうる。１．送信することがペンディングであるＭＡＣｉ  ＰＤＵが存在しない場合。２．ＣＣＣＨのための最大のＥ−ＤＣＨリソース割当に達した場合。または３．同期失敗が報告された場合。
【００７９】
ＵＥがＤＴＣＨデータまたはＤＣＣＨデータを送信する場合、ＵＥは、例えば以下の条件において、共通のＥ−ＤＣＨリソースをリリースしうる。１．同期失敗が生じた場合。２．衝突分解のための最大周期に達し、（たとえば、Ｅ−ＲＮＴＩに特有なＣＲＣ接続によって）ＵＥ（Ｅ−ＤＣＨラジオ・ネットワーク・テンポラリ識別子）のＥ−ＲＮＴＩを持つＥ−ＡＧＣＨに達しない場合。３．Ｅ−ＤＣＨ絶対許可チャネル（Ｅ−ＡＧＣＨ）が、共通のＥ−ＤＣＨリソース・リリース・コマンド（例えば、インアクティブ−明示的な共通のＥ−ＤＣＨリソース・リリース）とともに受信されうる場合。または、４．「Ｅ−ＤＣＨ送信継続バック・オフ」が「無限」に設定されず、エンプティ・バッファ・ステータス（ＴＥＢＳ＝０バイト）がレポートされ、送信（送信または再送信）用のＭＡＣ−ｉ  ＰＤＵがＨＡＲＱプロセス内に残っていない場合。ＣＣＣＨのための最大Ｅ−ＤＣＨリソース割当が、タイマＴ２であり、Ｅ−ＤＣＨ送信継続バック・オフ変数が、タイマＴ４でありうる。残りの最後のデータとともにＳＩを搬送するのにサービス提供許可が十分であれば、ＳＩは、最後のデータを搬送するＭＡＣ−ｉ  ＰＤＵとともに送信されうる。十分ではない場合、エンプティ・バッファ・ステータス・レポートが、次のＭＡＣ−ｉ  ＰＵＤを用いて別途送信されうる。
【００８０】
Ｅ−ＤＣＨ送信継続バック・オフを備えた暗黙的なリリースも存在しうる。暗黙的なリソース・リリースは、例えば、「Ｅ−ＤＣＨ送信継続バック・オフ」が「無限」に設定されていない場合のみのように、限定された方式でイネーブルされうる。暗黙的なリソース・リリースがイネーブルされると、ＤＴＣＨ／ＤＣＣＨ送信の場合、ＴＥＢＳが０バイトであれば、タイマＴｂが「Ｅ−ＤＣＨ送信継続バック・オフ値」に設定され、高次レイヤ・データを用いて最後に生成されたＭＡＣ−ｉ  ＰＤＵが、送信のために、ＰＨＹ−ｄａｔａ−ＲＥＱプリミティブとともに、物理レイヤへて提供される。
【００８１】
タイマＴｂが動作している間に、ＴＥＢＳ＜＞０バイトが検出されると、タイマが停止され、共通のＥ−ＤＣＨリソースにおけるアップリンク・データ送信が継続する。タイマＴｂが動作している間に、ＭＡＣ−ｅｈｓ（イボルブド媒体アクセス制御l）ＰＤＵが受信され、タイマは再起動されうる。
【００８２】
タイマＴｂが終了すると、ＭＡＣ−ＳＴＡＴＵＳ−Ｉｎｄプリミティブは、おのおのの論理チャネルのラジオ・リンク・チャネル（ＲＬＣ）に対して、ＰＤＵがＭＡＣへ転送されないことを示しうる。ＴＥＢＳ＝０バイトが、ノードＢ  ＭＡＣへと、ＭＡＣ−ｉ  ＰＤＵ内のＳＩとしてレポートされうる。「Ｅ−ＤＣＨ送信継続バック・オフ」値が「０」に設定されている場合、最後のＤＣＣＨ／ＤＴＣＨデータを搬送するＭＡＣ−ｉ  ＰＤＵとともにＳＩが送信されうる（例えば、残りのＤＣＣＨ／ＤＴＣＨデータともに、同じＭＡＣ−ｉ  ＰＤＵでＳＩを搬送するのにサービス提供許可が十分であるとする）。設定されていない場合、エンプティ・バッファ・ステータス・レポートが、次のＭＡＣ−ｉ  ＰＤＵを用いて別途送信されうる。
【００８３】
タイマＴｂの終了後、ＭＡＣ−ｉ  ＰＤＵが（再）送信のためにＨＡＲＱプロセスに残っている場合、ＣＥＬＬ＿ＦＡＣＨ状態およびアイドル・モードの場合、エンハンスト・アップリンクの終了についてＲＲＣに通知するＣＭＡＣ−ＳＴＡＴＵＳをトリガする。
【００８４】
図１７は、共有リソースの独占的な使用を容易にするモバイル・デバイス１７００の実例である。モバイル・デバイス１７００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機１７０２を備える。受信機１７０２は、例えばＭＭＳＥ受信機であり、受信したシンボルを復調し、それらをチャネル推定のためにプロセッサ１７０６へ送る復調器１７０４を備えうる。プロセッサ１７０６は、受信機１７０２によって受信された情報を分析し、および／または、送信機１７１６による送信のための情報を生成することに特化されたプロセッサ、モバイル・デバイス１７００の１または複数の構成要素を制御するプロセッサ、および／または、受信機１７０２によって受信された情報を分析することと、送信機１７１６による送信のための情報を生成することと、モバイル・デバイス１１００のうちの１または複数の構成要素を制御することとをすべて行うプロセッサでありうる。
【００８５】
モバイル・デバイス１７００はさらに、プロセッサ１７０６と動作可能に結合されたメモリ１７０８を備える。このメモリ１７０８は、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ１７０８はさらに、（例えば、パフォーマンス・ベース、キャパシティ・ベース等での）チャネルの推定および／または利用に関連付けられたアルゴリズムおよび／またはプロトコルを格納しうる。
【００８６】
本明細書に記載されたデータ・ストア（例えば、メモリ１７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１７０８は、限定される訳ではないが、これらおよびその他任意の適切なタイプのメモリを備えることが意図される。
【００８７】
プロセッサ１７０６はさらに、チェッカ１７１０および／またはアナライザ１７１２と動作可能に接続されている。チェッカ１７１０は、モバイル・デバイスのバッファのコンテンツ・レベルが、予め定められたレベルに達したことを判定しうる。さらに、アナライザ１７１２は、適切なアクノレッジメントが収集されたかを確証するためアクノレッジメント・セットを評価する。この評価は、コンテンツ・レベルが予め定められたレベルに達した場合になされる。モバイル・デバイス１７００はさらに、変調器１７１４と、例えば基地局、別のモバイル・デバイス等へ（例えば、ベースＣＱＩおよび差分ＣＱＩのような）信号を送信する送信機１７１６とを備える。プロセッサ１７０６と別に示されているが、チェッカ１７１０および／またはアナライザ１７１２は、プロセッサ１７０６または多くのプロセッサ（図示せず）の一部でありうることが認識されるべきである。
【００８８】
図１８は、半接続モードを使用することを容易にするシステム１８００の実例である。このシステム１８００は、複数の受信アンテナ１８０６によって、１または複数のモバイル・デバイス１８０４から信号を受信する受信機１８１０と、送信アンテナ１８０８によって１または複数のモバイル・デバイス１８０４へ信号を送信する送信機１８２４とを備える、基地局１８０２（例えば、アクセス・ポイント）を備える。
【００８９】
受信機１８１０は、受信アンテナ１８０６から情報を受信する。さらに、受信した情報を復調する復調器１８１２と動作可能に関連付けられている。復調されたシンボルは、図１７に関連して上述されたプロセッサと類似のプロセッサ１８１４によって分析される。プロセッサ１８１４は、信号（例えばパイロット）強度および／または干渉強度を推定することに関連する情報、モバイル・デバイス１８０４（または（図示しない）別の基地局）へ／から送信される／受信されたデータ、および／または、本明細書に記載されたさまざまな動作および機能を実行することに関連するその他任意の適切な情報を格納するメモリ１８１６に接続されている。
【００９０】
プロセッサ１８１４はさらに、レコグナイザ１８１８および／またはアロケータ１８２０に接続される。レコグナイザ１８１８は要求を識別しうる。この要求は、共有リソースの独占的な使用を求めて、モバイル・デバイスからなされうる。さらに、アロケータ１８２０は、設定された時間長さの間、共有リソースに対する限定的な使用をモバイル・デバイスに許可しうる。送信されるべき情報は、変調器１８２２へ提供されうる。変調器１８２２は、送信機１８２４による、アンテナ１８０８を介したモバイル・デバイス１８０４への送信のための情報を多重化しうる。プロセッサ１８１４と別に示されているが、レコグナイザ１８１８および／またはアロケータ１８２０は、プロセッサ１８１４あるいは多くのプロセッサ（図示せず）の一部でありうることが認識されるべきである。
【００９１】
図１９は、無線通信システム１９００の例を示す。無線通信システム１９００は、簡潔さの目的で、１つの基地局１９１０と１つのモバイル・デバイス１９５０とを示している。しかしながら、システム１９００は、１より多い基地局、および／または、１より多いモバイル・デバイスを含むことができ、これら追加の基地局および／またはモバイル・デバイスは、以下に説明する基地局１９１０およびモバイル・デバイス１９５０の例と実質的に同じでも、別のものでもありうることが認識されるべきである。それに加えて、基地局１９１０および／またはモバイル・デバイス１９５０は、その間の無線通信を容易にするために、本明細書に記載されたシステム（図１乃至図１１、図１７および図１８）、および／または方法（図１２乃至図１５）を適用しうることが認識されるべきである。
【００９２】
基地局１９１０では、多くのデータ・ストリームのためのトラフィック・データが、データ・ソース１９１２から送信（ＴＸ）データ・プロセッサ１９１４へ提供される。一例によれば、おのおののデータ・ストリームは、それぞれのアンテナを介して送信される。ＴＸデータ・プロセッサ１９１４は、トラフィック・データ・ストリームをフォーマットし、このデータ・ストリームのために選択された特定の符合化スキームに基づいて符号化し、インタリーブして、符合化されたデータを提供する。
【００９３】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１９３０によって実行または提供される指示によって決定されうる。
【００９４】
データ・ストリームの変調シンボルは、（例えば、ＯＦＤＭのために）変調シンボルを処理するＴＸ  ＭＩＭＯプロセッサ１９２０に提供される。ＴＸ  ＭＩＭＯプロセッサ１９２０はその後、ＮＴ個の変調シンボル・ストリームを、ＮＴ個の送信機（ＴＭＴＲ）１９２２ａ乃至１９２２ｔへ提供する。さまざまな実施形態において、ＴＸ  ＭＩＭＯプロセッサ１９２０は、データ・ストリームのシンボル、および、そのシンボルが送信されるアンテナへ、ビームフォーミング重みを適用する。
【００９５】
おのおのの送信機１９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１９２２ａ乃至１９２２ｔからのＮＴ個の変調信号は、ＮＴ個のアンテナ１９２４ａ乃至１９２４ｔそれぞれから送信される。
【００９６】
モバイル・デバイス１９５０では、送信された変調信号が、ＮＲ個のアンテナ１９５２ａ乃至１９５２ｒによって受信され、おのおののアンテナ１９５２から受信した信号が、それぞれの受信機（ＲＣＶＲ）１９５４ａ乃至１９５４ｒへ提供される。おのおのの受信機１９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００９７】
ＲＸデータ・プロセッサ１９６０は、ＮＲ個の受信機１９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１９６０は、検出されたおのおののシンボル・ストリームを復調し、デインタリーブし、復号して、そのデータ・ストリームのためのトラフィック・データを復元する。ＲＸデータ・プロセッサ１９６０による処理は、基地局１９１０におけるＴＸ  ＭＩＭＯプロセッサ１９２０およびＴＸデータ・プロセッサ１９１４によって実行されるものと相補的である。
【００９８】
プロセッサ１９７０は、上述したように、どの事前符合化行列を使用するのかを定期的に決定する。さらに、プロセッサ１９７０は、行列インデクス部およびランク値部を備えた逆方向リンク・メッセージを規定することができる。
【００９９】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１９３６から受け取るＴＸデータ・プロセッサ１９３８によって処理され、変調器１９８０によって変調され、送信機１９５４ａ乃至１９５４ｒによって調整され、基地局１９１０へ送り戻される。
【０１００】
基地局１９１０では、モバイル・デバイス１９５０からの変調信号が、アンテナ１９２４によって受信され、受信機１９２２によって調整され、復調器１９４０によって復調され、ＲＸデータ・プロセッサ１９４２によって処理されて、モバイル・デバイス１９５０によって送信された逆方向リンク・メッセージを抽出する。さらに、プロセッサ１９３０は、ビームフォーミング重みを決定するためにどの事前符合化行列を使用するかを決定するために、この抽出されたメッセージを処理する。
【０１０１】
プロセッサ１９３０およびプロセッサ１９７０は、基地局１９１０およびモバイル・デバイス１９５０それぞれにおける動作を指示（例えば、制御、調整、管理等）する。プロセッサ１９３０およびプロセッサ１９７０はそれぞれ、プログラム・コードおよびデータを格納するメモリ１９３２およびメモリ１９７２に関連付けられうる。プロセッサ１９３０およびプロセッサ１９７０はまた、アップリンクおよびダウンリンクそれぞれのための周波数およびインパルス応答推定値を導出する計算をも実行する。
【０１０２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。
【０１０３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【０１０４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１０５】
図２０を参照して、リソースの限定的な使用を規定するシステム２０００が例示される。例えば、システム２０００は、モバイル・デバイス内に少なくとも部分的に存在しうる。システム２０００は、プロセッサ、ソフトウェア、またはそれらの組み合わせ（例えば、ファームウェア）によって実現される機能を表す機能ブロックでありうる機能ブロックを含むものとして示されることが認識されるべきである。システム２０００は、連携して動作しうる電子構成要素の論理グループ２００２を含む。例えば、論理グループ２００２は、モバイル・デバイスのバッファのコンテンツ・レベルが、予め定められたレベルに達したかを判定する手段２００４のみならず、適切なアクノレッジメントが収集されたかを確証するためアクノレッジメント・セットを評価する手段２００６を含みうる。この評価は、コンテンツ・レベルが、予め定めたレベルに達した場合になされうる。メモリ２００８の外側にあると示されているが、（例えば、電子構成要素である）手段２００４および手段２００６のうちの１または複数は、メモリ２００８内に存在しうることが理解されるべきである。
【０１０６】
図２１に移って、共有リソースの限定的な使用を管理するシステム２１００が例示される。システム２１００は、例えば基地局内に存在しうる。図示するように、システム２１００は、プロセッサ、ソフトウェア、または（例えば、ファームウェアのような）これらの組み合わせによって実現される機能を表しうる。システム２１００は、制御情報の通信を容易にする電子構成要素からなる論理グループ２１０２を含む。論理グループ２１０２は、受信機を用いて取得した要求を識別する手段２１０４を含みうる。この要求は、共有リソースの限定的な使用を求めて、モバイル・デバイスからなされうる。論理グループ２１０２はさらに、設定された時間長さの間、モバイル・デバイスに対して、共有リソースの限定的な使用を許可する手段２１０６を含みうる。メモリ２１０８の外側にあると示されているが、（例えば、電子構成要素のような）手段２１０４および手段２１０６は、メモリ１５０８内に存在しうることが理解されるべきである。
【０１０７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【０１０８】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【０１０９】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【０１１０】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【０１１１】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に本願発明の当初の特許請求の範囲に記載された発明を付記する。
［Ｃ１］
無線通信システムで動作可能なモバイル・デバイスの動作を管理する方法であって、
前記モバイル・デバイスのバッファのコンテンツ・レベルが、予め定められたレベルに達したかを判定することと、
適切なアクノレッジメントが収集されたかを確証するためアクノレッジメント・セットを評価することとを備え、
前記評価は、前記コンテンツ・レベルが、前記予め定められたレベルに達した場合になされる方法。
［Ｃ２］
少なくとも１つのアクノレッジメントを収集することをさらに備え、
前記アクノレッジメント・セットは、前記収集されたアクノレッジメントを含むＣ１に記載の方法。
［Ｃ３］
限定された時間の間、前記モバイル・デバイスが独占的なアクセスを有する共有リソースで、少なくとも１つのパケットを送信することを更に備え、
前記少なくとも１つのパケットは、前記パケットが正しく取得されたことに応じて、前記アクノレッジメント・セット内に、アクノレッジメントを追加することを求める要求を含むＣ１に記載の方法。
［Ｃ４］
限定された時間の間、前記モバイル・デバイスが独占的なアクセスを有する共有リソースで、前記モバイル・デバイスから基地局へパケットを転送することをさらに備え、
前記パケットを取得すると、前記基地局は、前記パケットが正しく取得されたとのアクノレッジメントを転送し、前記転送されたアクノレッジメントは、収集されると、前記アクノレッジメント・セットに追加されるＣ１に記載の方法。
［Ｃ５］
適切なアクノレッジメントが考慮されていることを確証することと、
前記適切なアクノレッジメントが考慮されていることが確証されると、通知を送信することとをさらに備え、
前記通知は、前記モバイル・デバイスが独占的なアクセスを有する共有リソースが、リリースされるべきであることを示すＣ１に記載の方法。
［Ｃ６］
適切なアクノレッジメントが考慮されていないことを確証することと、
少なくとも１つの失われたアクノレッジメントを識別することと、
前記失われたアクノレッジメントと関連するパケットを再送信することと
をさらに備えるＣ１に記載の方法。
［Ｃ７］
前記モバイル・デバイスのため、共有リソースへの独占的なアクセスを要求することと、
前記独占的なアクセスが、時間フレームの間許可されているとの指示を収集することと、
前記共有リソースで、少なくとも１つのパケットを送信することとをさらに備え、
前記少なくとも１つのパケットは、前記パケットが正しく取得されたことに応じて、前記アクノレッジメント・セットに、アクノレッジメントを追加することを求める要求を含むＣ１に記載の方法。
［Ｃ８］
前記少なくとも１つのパケットが送信されると、タイマを動作させることと、
前記パケットに対するアクノレッジメントをモニタすることと、
前記タイマが、設定されたレベルに達し、アクノレッジメントが収集されない場合、リソース衝突があったと推論することと、
前記推論がなされると、前記共有リソースをリリースすることと
をさらに備えるＣ７に記載の方法。
［Ｃ９］
前記バッファが前記予め定められたレベルに達した場合、タイマを起動することと、
前記タイマをモニタすることと
をさらに備えるＣ１に記載の方法。
［Ｃ１０］
前記タイマが終了したことを判定することと、
前記バッファが空であるかを判定し、前記バッファが空であると判定されると、スケジューリング情報が送信されることと、
前記アクノレッジメント・セットが空であるかを判定し、前記アクノレッジメント・セットが空であると判定されると、前記共有リソースがリリースされることと
をさらに備えるＣ９に記載の方法。
［Ｃ１１］
前記スケジューリング情報を伝送するのに最後のパケットで十分であるかを結論付けることと、
肯定的な結論がなされると、前記スケジューリング情報を、前記最後のパケットで転送することと、
否定的な結論がなされると、前記スケジューリング情報を、後のパケットで転送することと
をさらに備えるＣ１０に記載の方法。
［Ｃ１２］
前記バッファがパケットを受信したことを特定することと、
前記タイマが終了したかを判定し、終了していなければ、前記タイマがリセットされることと
をさらに備えるＣ９に記載の方法。
［Ｃ１３］
前記モバイル・デバイスのバッファのコンテンツ・レベルが、予め定められたレベルに達したことを判定するチェッカと、
適切なアクノレッジメントが収集されたかを確証するためアクノレッジメント・セットを評価するアナライザとを備え、
前記評価は、前記コンテンツ・レベルが、前記予め定められたレベルに達した場合になされる装置。
［Ｃ１４］
少なくとも１つのアクノレッジメントを収集するオブテイナ（obtainer）をさらに備え、
前記アクノレッジメント・セットは、前記収集されたアクノレッジメントを含むＣ１３に記載の装置。
［Ｃ１５］
限定された時間の間、前記モバイル・デバイスが独占的なアクセスを有する共有リソースで、少なくとも１つのパケットを送信する送信機を更に備え、
前記少なくとも１つのパケットは、前記パケットが正しく取得されたことに応じて、前記アクノレッジメント・セット内に、アクノレッジメントを追加することを求める要求を含むＣ１３に記載の装置。
［Ｃ１６］
前記モバイル・デバイスから基地局へパケットを転送する送信機をさらに備え、
前記パケットを取得すると、前記基地局は、前記パケットが正しく取得されたとのアクノレッジメントを転送し、前記転送されたアクノレッジメントは、収集されると、前記アクノレッジメント・セットに追加されるＣ１３に記載の装置。
［Ｃ１７］
前記パケットは、限定された時間の間、前記モバイル・デバイスが独占的なアクセスを有する共有リソースで転送されるＣ１６に記載の装置。
［Ｃ１８］
適切なアクノレッジメントが考慮されていることを確証するコンパレータ（comparator）と、
前記適切なアクノレッジメントが考慮されていることが確証されると、通知を送信する送信機とをさらに備え、
前記通知は、前記モバイル・デバイスが独占的なアクセスを有する共有リソースが、リリースされるべきであることを示すＣ１３に記載の装置。
［Ｃ１９］
適切なアクノレッジメントが考慮されていないことを確証するコンパレータ（comparator）と、
少なくとも１つの失われたアクノレッジメントを識別するクラシファイヤ（classifier）と、
前記失われたアクノレッジメントと関連するパケットを再送信する送信機と
をさらに備えるＣ１３に記載の装置。
［Ｃ２０］
前記モバイル・デバイスのため、共有リソースへの独占的なアクセスを要求するペティショナ（petitioner）と、
前記独占的なアクセスが、時間フレームの間許可されているとの指示を収集するギャザラ（gatherer）と、
前記共有リソースで、少なくとも１つのパケットを送信する送信機とをさらに備え、
前記少なくとも１つのパケットは、前記パケットが正しく取得されたことに応じて、前記アクノレッジメント・セットに、アクノレッジメントを追加することを求める要求を含むＣ１３に記載の装置。
［Ｃ２１］
前記少なくとも１つのパケットが送信されると、タイマを動作させるセッタ（setter）と、
前記パケットに対するアクノレッジメントをモニタするオブザーバ（observer）と、
前記タイマが、設定されたレベルに達し、アクノレッジメントが収集されない場合、リソース衝突があったと推論するコンクルーダ（conlcuder）と、
前記推論がなされると、前記共有リソースをリリースするディスチャージャ（discharger）と
をさらに備えるＣ２０に記載の装置。
［Ｃ２２］
前記指示が収集されると、タイマを動作させるセッタ（setter）と、
前記共有リソースの時間フレームが終了したときを特定するエグザミナ（examiner）と、
前記特定がなされると、前記共有リソースをリリースするディスチャージャ（discharger）と
をさらに備えるＣ２０に記載の装置。
［Ｃ２３］
前記時間フレームに基づいてパケット送信を管理するディレクタ（director）をさらに備え、
前記少なくとも１つのパケットの送信は、前記管理にしたがってなされるＣ２２に記載の装置。
［Ｃ２４］
前記独占的なアクセスは、送信コンテンツのサイズを制限しないＣ２０に記載の装置。
［Ｃ２５］
モバイル・デバイスの動作を管理するように構成された少なくとも１つのプロセッサであって、
前記モバイル・デバイスのバッファのコンテンツ・レベルが予め定められたレベルに達したことを判定する第１のモジュールと、
適切なアクノレッジメントが収集されたかを確証するためアクノレッジメント・セットを評価する第２のモジュールとを備え、
前記評価は、前記コンテンツ・レベルが、前記予め定められたレベルに達した場合になされる少なくとも１つのプロセッサ。
［Ｃ２６］
コンピュータ読取可能媒体を備えたコンピュータ・プログラム製品であって、
前記コンピュータ読取可能媒体は、
コンピュータに対して、モバイル・デバイスのバッファのコンテンツ・レベルが予め定められたレベルに達したことを判定させるための第１のコード・セットと、
前記コンピュータに対して、適切なアクノレッジメントが収集されたかを確証するためアクノレッジメント・セットを評価させるための第２のコード・セットとを備え、
前記評価は、前記コンテンツ・レベルが、前記予め定められたレベルに達した場合になされるコンピュータ・プログラム製品。
［Ｃ２７］
モバイル・デバイスのバッファのコンテンツ・レベルが予め定められたレベルに達したことを判定する手段と、
適切なアクノレッジメントが収集されたかを確証するためアクノレッジメント・セットを評価する手段とを備え、
前記評価は、前記コンテンツ・レベルが、前記予め定められたレベルに達した場合になされる装置。
［Ｃ２８］
無線通信デバイスで動作可能な共有リソースの独占的な使用を管理する方法であって、
受信機を用いて取得された要求を識別することを備え、
前記要求は、前記共有リソースの独占的な使用を求めてモバイル・デバイスからなされ、
前記方法はさらに、
設定された時間長さの間、前記モバイル・デバイスに対して、前記共有リソースの独占的な使用を許可することを備える方法。
［Ｃ２９］
前記独占的な使用の許可を解除することをさらに備えるＣ２８に記載の方法。
［Ｃ３０］
前記共有リソースで前記モバイル・デバイスが送信すべきパケットが存在しないとの通知を収集することをさらに備えるＣ２９に記載の方法。
［Ｃ３１］
処理が正しくなされなかった少なくとも１つのパケットが存在するかを判定することをさらに備えるＣ３０に記載の方法。
［Ｃ３２］
処理が正しくなされなかったパケットが存在しないと判定されると、前記独占的な使用の許可を解除することがなされるＣ３１に記載の方法。
［Ｃ３３］
処理が正しくなされなかったパケットが少なくとも１つ存在すると判定されると、欠陥パケットを識別することと、
前記欠陥パケットの再送信を要求することとをさらに備え、
欠陥パケットが存在する場合には、前記収集された通知に基づいて、前記独占的な使用の許可を解除することはなされないＣ３１に記載の方法。
［Ｃ３４］
前記共有リソースは、共通制御チャネル・データを送信するために使用され、
前記独占的な使用の許可を解除することは、
送信することがペンディングなメッセージ許可コード−統合プロトコル・データ・ユニットが存在しないことを識別することと、
共通制御チャネルのための最大のエンハンスト専用チャネル・リソース割当に達したかを認識することと、
同期失敗があるかを検出することと、
のうちの少なくとも１つに基づいてなされるＣ２９に記載の方法。
［Ｃ３５］
前記共有リソースは、専用トラフィック・チャネル・データまたは専用制御チャネル・データを送信するために使用され、
前記独占的な使用の許可を解除することは、
同期失敗を検出することと、
衝突解決のための最大周期に達し、前記モバイル・デバイスのラジオ・ネットワーク・テンポラリ識別子を持つ絶対許可チャネルに達しないと判定することと、
絶対許可チャネルが共通のエンハンスト専用チャネル・リソース・リリース・コマンドとともに受信されたと特定することと、
エンプティ・バッファ・ステータスがレポートされたことが認識され、エンハンスト専用チャネル送信継続バック・オフが、無限大程度に設定されず、メッセージ許可コード−統合プロトコル・データ・ユニットが、送信用のハイブリッド自動反復要求プロセスに残っていることと、
のうちの少なくとも１つに基づいてなされるＣ２９に記載の方法。
［Ｃ３６］
前記設定された時間長さの間、前記共有リソースでパケットを収集することと、
前記パケットの収集のアクノレッジメントを前記モバイル・デバイスへ転送することとをさらに備えるＣ２９に記載の方法。
［Ｃ３７］
前記共有リソースの独占的な使用に関連付けられたスケジューリング情報が、トータル・エンハンスト専用チャネル・バッファ・ステータスに基づいて規定されるＣ２８に記載の方法。
［Ｃ３８］
装置であって、
要求を識別するレコグナイザ（recognizer）を備え、
前記要求は、共有リソースの独占的な使用を求めて、モバイル・デバイスからなされ、
前記装置はさらに、
設定された時間長さの間、前記モバイル・デバイスに対して、前記共有リソースの独占的な使用を許可するアロケータ（allocator）を備える装置。
［Ｃ３９］
前記独占的な使用の許可を解除するリミッタをさらに備えるＣ３８に記載の装置。
［Ｃ４０］
前記共有リソースで前記モバイル・デバイスが送信すべきパケットが存在しないとの通知を収集するトランシーバをさらに備えるＣ３９に記載の装置。
［Ｃ４１］
処理が正しくなされなかった少なくとも１つのパケットが存在するかを判定するチェッカ（checker）をさらに備えるＣ４０に記載の装置。
［Ｃ４２］
処理が正しくなされなかったパケットが存在しないと判定されると、前記独占的な使用の許可を解除することがなされるＣ４１に記載の装置。
［Ｃ４３］
処理が正しくなされなかったパケットが少なくとも１つ存在すると判定されると、欠陥パケットを識別するディスカバラ（discoverer）と、
前記欠陥パケットの再送信を要求するアプライヤ（applier）とをさらに備え、
欠陥パケットが存在する場合には、前記収集された通知に基づいて前記独占的な使用の許可を解除することはなされないＣ４１に記載の装置。
［Ｃ４４］
前記リミッタは、前記設定された時間長さが終了すると、前記独占的な使用の許可を解除するストッパ（stopper）を備えるＣ３９に記載の装置。
［Ｃ４５］
前記独占的な使用の許可の解除は明示的であり、前記共有リソースがリリースされるべきであるとの指示が、前記モバイル・デバイスへ転送されるＣ３９に記載の装置。
［Ｃ４６］
前記設定された時間長さの間、前記共有リソースでパケットを収集するトランシーバと、
前記パケットの収集のアクノレッジメントを前記モバイル・デバイスへ転送するコミュニケータと
をさらに備えるＣ３９に記載の装置。
［Ｃ４７］
前記共有リソースの独占的な使用に関連付けられたスケジューリング情報が、トータル・エンハンスト専用チャネル・バッファ・ステータスに基づいて規定されるＣ３８に記載の装置。
［Ｃ４８］
共有リソースの独占的な使用を管理するように構成された少なくとも１つのプロセッサであって、
要求を識別する第１のモジュールを備え、
前記要求は、前記共有リソースの独占的な使用を求めて、モバイル・デバイスからなされ、
前記少なくとも１つのプロセッサはさらに、
設定された時間長さの間、前記モバイル・デバイスに対して、前記共有リソースの独占的な使用を許可する第２のモジュールを備える少なくとも１つのプロセッサ。
［Ｃ４９］
コンピュータ読取可能媒体を備えるコンピュータ・プログラム製品であって、
前記コンピュータ読取可能媒体は、コンピュータに対して、要求を識別させるための第１のコード・セットを備え、
前記要求は、共有リソースの独占的な使用を求めるモバイル・デバイスからなされ、
前記コンピュータ読取可能媒体はさらに、前記コンピュータに対して、設定された時間長さの間、前記モバイル・デバイスに、前記共有リソースの独占的な使用を許可させるための第２のコード・セットを備えるコンピュータ・プログラム製品。
［Ｃ５０］
装置であって、
要求を識別する手段を備え、
前記要求は、共有リソースの独占的な使用を求めるモバイル・デバイスからなされ、
前記装置はさらに、設定された時間長さの間、前記モバイル・デバイスに対して、前記共有リソースの独占的な使用を許可する手段を備える装置。
【図１】
0005529228.tif 000002
【図２】
0005529228.tif 000003
【図３】
0005529228.tif 000004
【図４】
0005529228.tif 000005
【図５】
0005529228.tif 000006
【図６】
0005529228.tif 000007
【図７】
0005529228.tif 000008
【図８】
0005529228.tif 000009
【図９】
0005529228.tif 000010
【図１０】
0005529228.tif 000011
【図１１】
0005529228.tif 000012
【図１２】
0005529228.tif 000013
【図１３】
0005529228.tif 000014
【図１４】
0005529228.tif 000015
【図１５】
0005529228.tif 000016
【図１６】
0005529228.tif 000017
【図１７】
0005529228.tif 000018
【図１８】
0005529228.tif 000019
【図１９】
0005529228.tif 000020
【図２０】
0005529228.tif 000021
【図２１】
0005529228.tif 000022